(57)【要約】【課題】本発明は、中芯の曲がりを防止しつつ、螺旋バネ同士の噛み込み現象を無くすようにした多芯筆記具を提供する。【解決手段】多芯筆記具は、軸筒４の中心軸線Ｌ方向にスライド自在なノック部材６と、軸筒４の内壁面に設けられて、ノック部材６を中心軸線Ｌ方向に案内する第１のガイド溝１２と、中芯２の周囲に巻回されると共に、ノック部材６を復帰させる螺旋バネ５と、後端がノック部材６の先端に回動自在に連結され、中芯２が保持されると共に、螺旋バネ５が係止される中芯ホルダ２０と、軸筒４の内壁面に設けられて、中芯ホルダ２０を中心軸線Ｌ方向に案内する第２のガイド溝１１と、を備えた構成である。【選択図】図３
2010042643.tif 000002
【特許請求の範囲】
【請求項１】
中芯を軸筒の先端から選択的に出没可能な多芯筆記具において、
前記軸筒の中心軸線方向にスライド自在なノック部材と、
前記軸筒の内壁面に設けられて、前記ノック部材を前記中心軸線方向に案内する第１のガイド溝と、
前記中芯の周囲に巻回されると共に、前記ノック部材を復帰させる螺旋バネと、
後端が前記ノック部材の先端に回動自在に連結され、前記中芯が保持されると共に、前記螺旋バネが係止される中芯ホルダと、
前記軸筒の前記内壁面に設けられて、前記中芯ホルダを前記中心軸線方向に案内する第２のガイド溝と、を備えたことを特徴とする多芯筆記具。
【請求項２】
前記第２のガイド溝は、前記軸筒の前記内壁面に沿って前記中心軸線方向に延在し、前記中芯ホルダの外面には、前記中心軸線方向に延在して、前記第２のガイド溝内を移動するガイド片が形成されていることを特徴とする請求項１記載の多芯筆記具。
【請求項３】
前記中芯ホルダの前側に設けられた前記ガイド片の先端は、前記中芯ホルダの前進中に前記第２のガイド溝から外れることを特徴とする請求項２記載の多芯筆記具。
【発明の詳細な説明】
【技術分野】
【０００１】
本発明は、軸筒の中心軸線方向にスライド自在なノック部材を備えた多芯筆記具に関するものである。
【背景技術】
【０００２】
従来、このような分野の技術として、実開平５−１２１８５号公報がある。この公報に記載された多芯筆記具は、ノック操作部を摺動させて軸筒の先端から中芯を選択的に出没させるものである。この筆記具には、ノック操作部を復帰させるための螺旋バネが設けられ、この螺旋バネは、中芯の周囲に巻回されるように配置されている。螺旋バネの一端は軸筒に係止され、螺旋バネの他端は、ノック操作部に係止されている。さらに、この筆記具は、シャープペンシル型の中芯を有し、このシャープペンシル型中芯は、シャープ芯の折れを防止するために曲げないことが好ましい。そこで、ノック操作部とシャープペンシル型中芯とを、ノック操作部に対して回動自在なジョイント部材で連結させることによって、シャープペンシル型中芯を軸筒内で振り子運動させ、シャープ芯の折れを防止している。
【０００３】
【特許文献１】実開平５−１２１８５号公報
【発明の開示】
【発明が解決しようとする課題】
【０００４】
しかしながら、前述した従来の多芯筆記具では、ジョイント部材が、軸筒内で振り子運動するように自由に動き得るので、シャープペンシル型中芯の復帰を可能にしている螺旋バネと、ボールペン型中芯の復帰を可能にしている別の螺旋バネとが、軸筒内で互いに噛み込むような現象を引き起こす虞がある。特に、ボールペン型中芯を交換するにあたって、中芯の抜かれた状態の螺旋バネは、ノック操作部をいわゆる空打ちすると非常に撓み易いので、ジョイント部材が何ら制限なく回動すると、螺旋バネ同士の噛み込み現象が非常に起きやすい。
【０００５】
本発明は、中芯の曲がりを防止しつつ、螺旋バネ同士の噛み込み現象を無くすようにした多芯筆記具を提供することを目的とする。
【課題を解決するための手段】
【０００６】
本発明は、中芯を軸筒の先端から選択的に出没可能な多芯筆記具において、
軸筒の中心軸線方向にスライド自在なノック部材と、
軸筒の内壁面に設けられて、ノック部材を中心軸線方向に案内する第１のガイド溝と、
中芯の周囲に巻回されると共に、ノック部材を復帰させる螺旋バネと、
後端がノック部材の先端に回動自在に連結され、中芯が保持されると共に、螺旋バネが係止される中芯ホルダと、
軸筒の内壁面に設けられて、中芯ホルダを中心軸線方向に案内する第２のガイド溝と、を備えたことを特徴とする。
【０００７】
一般的な多芯筆記具に利用されている中芯は、可撓性を有する樹脂材により形成されているので、ノック部材を押し下げた際に、中芯は軸筒の内面に沿って撓みながら移動する。しかしながら、ボールペン型の金属製中芯やシャープペンシル型中芯を利用する場合、それ自体の撓みを期待することができない。その理由として、ボールペン型の金属製中芯は可撓性を有しないからであり、シャープペンシル型中芯は、鉛芯の折損を回避したいためである。金属製の中芯を利用する理由は、薄肉化を可能にし、短い中芯であってもインクの充填量を樹脂の中芯と同等にすることができるからである。そこで、撓みを許容しない中芯の適用が可能な本発明では、ノック部材と中芯とを中芯ホルダを介して連結し、ノック部材に対して中芯ホルダを回動自在に連結させている。しかも、この中芯ホルダは、中心軸線方向に案内する第２のガイド溝によって、軸筒内で径方向の動きを規制することができるので、螺旋バネ同士が、軸筒内で噛み込み現象を起こす虞がなくなる。特に、中芯を交換するにあたって、中芯の抜かれた状態の螺旋バネは、非常に撓み易くなっているが、ノック部材をいわゆる空打ちした場合でも、螺旋バネ同士の噛み込み現象が起き難いといった優れた効果を有する。
【０００８】
また、第２のガイド溝は、軸筒の内壁面に沿って中心軸線方向に延在し、中芯ホルダの外面には、中心軸線方向に延在して、第２のガイド溝内を移動するガイド片が形成されていると好適である。
このような構成のガイド片の採用は、第２のガイド溝に沿って中芯ホルダを確実に移動させることができる。
【０００９】
また、中芯ホルダの前側に設けられたガイド片の先端は、中芯ホルダの前進中に第２のガイド溝から外れると好適である。
このような構成を採用すると、中芯の先端が軸筒の先端から突出している状態すなわち筆記状態で、ノック部材と中芯ホルダとで「く」の字状を呈し易く、これによって、中芯を無理に撓ませる必要が無く、中芯の曲がり変形を防止することができる。
【発明の効果】
【００１０】
本発明によれば、中芯の曲がりを防止しつつ、螺旋バネ同士の噛み込み現象を無くすことができる。
【発明を実施するための最良の形態】
【００１１】
以下、図面を参照しつつ本発明に係る多芯筆記具の好適な実施形態について詳細に説明する。なお、ペン先側を「前方側」として以下説明する。
【００１２】
図１に示すように、多芯筆記具１は、３色のノック式ボールペンであり、全長１４ｃｍ程度の一般的な筆記具と異なり、全長が約１１ｃｍの小型の筆記具である。この筆記具１の最大の特徴は、筆記具１をわざわざ持ち替えずとも、筆記姿勢を保ったまま親指Ｓでノック操作できる点にある。短い筆記具は、シャツなどのポケットに入れ易く、持ち運びに非常に便利である。
【００１３】
このような筆記具１は、短い中芯２を必要とし、ボールペン型の金属製中芯２が利用されている。この中芯２を利用する理由は、薄肉化を可能にし、短い中芯であってもインクの充填量を樹脂の中芯と略同等にできるからである。
【００１４】
図２〜図４に示すように、このノック式多芯筆記具１は、３本のボールペン型の中芯２と、各中芯２を収容する樹脂製の軸筒４と、軸筒４の中心軸線Ｌ方向にスライド自在な３本のノック部材６とを備えている。
【００１５】
軸筒４は、前軸４Ａと後軸４Ｂとからなり、前軸４Ａの後側に設けられた雌ネジ部４ａと後軸４Ｂの前側から突出するデバイダー３の雄ネジ部３ａとの螺合によって、前軸４Ａは後軸４Ｂに対して着脱自在に連結されている。このように、軸筒４を前軸４Ａと後軸４Ｂとに二分割することで、前軸４Ａを外して中芯２を容易に交換することができ、前軸４Ａと後軸４Ｂの材質を異ならせることもできる。なお、筆記具１の全長を短くするために、前軸４Ａが、後軸４Ｂに対して極端に短くなっている。なお、デバイダー３は、この仕切部３ｂによって螺旋バネ５の互いの干渉を防止するためのものであり、軸筒４の後軸４Ｂに固定されている。
【００１６】
さらに、軸筒４内には、各ノック部材６を復帰させるための３本の螺旋バネ５が収容され、中芯２は螺旋バネ５内に差し込まれている。そして、ノック部材６に復帰力を発生させるために、螺旋バネ５の一端はデバイダー３で係止され、螺旋バネ５の他端は、後述する中芯ホルダ２０内で係止させている。
【００１７】
このような構成の多芯筆記具１では、ノック部材６を指で押し下げることによって、軸筒４の先端開口４ｄから任意の中芯２の先端を突出させることができる。そして、軸筒４から選択的に突出させた中芯２の先端は、他のノック部材６を指で軽く押し下げることにより、螺旋バネ５の付勢力によって軸筒４内に格納することができる。
【００１８】
さらに、各ノック部材６において、ノック本体部７の後端の外側には、指掛け部８が形成され、ノック本体部７の内側には、中心軸線Ｌに向かって突出する突起片９が形成されている。そして、この突起片９の遊端には、断面三角形状の前側合わせ面９ａと後側合わせ面９ｂとが中心軸線Ｌ方向に並設されている。
【００１９】
図３及び図５に示すように、軸筒４には、中心軸線Ｌ方向に延在する３本のスリット１０が形成され、各スリット１０に沿ってそれぞれの突起片９が摺動する。そして、このスリット１０は、左右一対のガイドレール１０ａ，１０ｂとの間に形成され、ガイドレール１０ａ，１０ｂの表面に沿ってノック本体部７が移動する。
【００２０】
さらに、ノック本体部７の後端には、横方向に突出する左右一対の第１のガイド片１１が形成され、左右一対のガイド片１１は、軸筒４の内壁面に形成された凹状の第１のガイド溝１２内に入り込んで摺動する。左右一対の第１のガイド溝１２は、中心軸線Ｌ方向に延在して、ノック部材６を中心軸線Ｌ方向に案内する。
【００２１】
一般的な多芯筆記具に利用されている中芯は、可撓性を有する樹脂材により形成されているので、ノック部材を押し下げた際に、中芯は軸筒の内面に沿って撓みながら移動する。従って、ノック部材の先端に中芯の後端を直接接続することが可能であった。しかしながら、ボールペン型の金属製中芯２を利用する場合、それ自体の撓みを期待することができない。
【００２２】
そこで、図６〜図９に示すように、樹脂製のノック部材６と金属製の中芯２とを樹脂製の中芯ホルダ２０を介して連結している。この中芯ホルダ２０の後端には軸部２０ａが設けられ、ノック部材６の先端には、軸部２０ａを支持するための凹状の軸受部６ａが設けられ、軸受部６ａ内に軸部２０ａを嵌め込むことによって、ノック部材６の先端に中芯ホルダ２０の後端が回動自在に連結される。従って、撓みを期待できない金属製中芯２であってもノック式の筆記具に利用することができる。
【００２３】
さらに、中芯ホルダ２０は、中空状に形成され、中芯ホルダ２０の後側には、中芯２の後端部が圧入される差込み孔２０ｂが設けられ、差込み孔２０ｂの入口側には、螺旋バネ５の端部５ａに当接する係止面２０ｃが形成されている。そして、中芯ホルダ２０に中芯２が装填された状態で、中芯２の周囲に螺旋バネ５が巻回されている。
【００２４】
このような中芯ホルダ２０が、軸筒４内で何ら規制無く自由に動き得ると、筆記具１の使用時に、隣接する螺旋バネ５同士の噛み込み現象が起きる虞もある。特に、中芯２を交換するにあたって、中芯２の抜かれた状態の螺旋バネ５は、ノック部材６をいわゆる空打ちすると非常に撓み易いので、前述したような噛み込み現象が起きやすい。
【００２５】
そこで、図６及び図１０に示すように、中芯ホルダ２０の前側は、係止面２０ｃより前方に位置するバネ包囲部２０ｅと、このバネ包囲部２０ｅから横方向（径方向）に突出したガイド片２０ｄとからなり、軸筒４の内壁面には、左右一対のガイド片２０ｄが挿入される凹状の第２のガイド溝２２が設けられている。左右一対の第２のガイド溝２２は、軸筒４の内壁面に沿って中心軸線Ｌ方向に延在し、各ガイド片２０ｄも中心軸線Ｌ方向に延在する。そして、第２のガイド溝２２内にガイド片２０ｄが挿入され、中芯ホルダ２０を軸筒４内で中心軸線Ｌ方向に確実に案内している。
【００２６】
このように、中芯ホルダ２０は、ガイド片２０ｄと第２のガイド溝２２との協働によって、軸筒４内で径方向の動きを規制することができるので、螺旋バネ５同士が、軸筒４内で噛み込み現象を起こす虞がない。特に、中芯２を交換するにあたって、中芯２の抜かれた状態の螺旋バネ５は、非常に撓み易くなっているが、ノック部材６をいわゆる空打ちした場合でも、螺旋バネ５同士の噛み込み現象が起き難いといった優れた効果を有する。
【００２７】
図３及び図１１に示すように、ガイド片２０ｄの先端は、中芯ホルダ２０の前進中に第２のガイド溝２２から外れる。このような構成を採用すると、ノック部材６の後端がガイドレール１０ａ，１０ｂの先端に係止させられている状態、すなわち、中芯２の先端が軸筒４の先端から突出している状態で、ノック部材６と中芯ホルダ２０とで「く」の字状を呈し易く、これによって、中芯２を無理に撓ませることが必要なく、中芯２の曲がり変形を確実に防止することができる。
【００２８】
本発明は、前述した実施形態に限定されないことは言うまでもない。例えば、本発明は、金属製の中芯に限らず、樹脂製の中芯にも適用可能であり、シャープペンシル型の中芯にも適用可能である。
【図面の簡単な説明】
【００２９】
【図１】本発明に係る多芯筆記具の使用状態を示す斜視図である。
【図２】本発明に係る多芯筆記具の部分的に切り欠かれた斜視図である。
【図３】本発明に係る多芯筆記具の部分的に切り欠かれた正面図である。
【図４】本発明に係る多芯筆記具の縦断面図である。
【図５】図２のＶ−Ｖ線に沿う断面図である。
【図６】ノック部材と中芯ホルダとの連結前の状態を示す斜視図である。
【図７】ノック部材と中芯ホルダとの連結後の状態を示す斜視図である。
【図８】ノック部材及び中芯ホルダの要部拡大斜視図である。
【図９】中芯ホルダの縦断面図である。
【図１０】図２のＸ−Ｘ線に沿う断面図である。
【図１１】図２からノック部材を外した状態を示す斜視図である。
【符号の説明】
【００３０】
１…多芯筆記具、２…中芯、４…軸筒、５…螺旋バネ、６…ノック部材、１２…第1のガイド溝、２０…中芯ホルダ、２０ｄ…ガイド片、２２…第２のガイド溝、Ｌ…中心軸線。
【図１】
2010042643.tif 000003
【図２】
2010042643.tif 000004
【図３】
2010042643.tif 000005
【図４】
2010042643.tif 000006
【図５】
2010042643.tif 000007
【図６】
2010042643.tif 000008
【図７】
2010042643.tif 000009
【図８】
2010042643.tif 000010
【図９】
2010042643.tif 000011
【図１０】
2010042643.tif 000012
【図１１】
2010042643.tif 000013